(57)【要約】【課題】  安価な構成で、枚数の大きなジョブを処理する場合でも、像担持体上に形成されるフィルミング物を除去できる画像形成装置を提供する。【解決手段】  トナー像を担持する像担持体６と、該トナー像を転写媒体上に転写した後の像担持体上に残留するトナーを回収するクリーニング装置９と、像担持体の表面のフィルミング物を除去する研磨装置１００とを有する画像形成装置において、前記研磨装置１００が、研磨手段１３０と、該研磨手段の間欠駆動手段と、該間欠駆動手段の全体制御装置２００とを備え、該制御装置が、１ジョブ中の処理枚数を数える枚数カウンタ２４０と、該枚数カウンタがカウントする処理枚数と予め設定された所定枚数とを比較する比較手段２６０とを有し、１ジョブ中の処理枚数が前記所定枚数に達したとき、前記間欠駆動手段を駆動する。【選択図】      図１
2005326770.tif 000002
【特許請求の範囲】
【請求項１】
トナー像を担持する像担持体と、該トナー像を転写媒体上に転写した後の前記像担持体上に残留するトナーを回収するクリーニング装置と、像担持体の表面のフィルミング物を除去する研磨装置とを有する画像形成装置において、
前記研磨装置が、研磨手段と、該研磨手段の間欠駆動手段と、該間欠駆動手段の制御装置とを備え、該制御装置が、１ジョブ中の処理枚数を数える枚数カウンタと、該枚数カウンタがカウントする処理枚数と予め設定された所定枚数とを比較する比較手段とを有し、１ジョブ中の処理枚数が前記所定枚数に達したとき、前記間欠駆動手段を駆動することを特徴とする画像形成装置。
【請求項２】
前記間欠駆動手段が、揺動レバーと該揺動レバーの揺動軸に設けられた一方向クラッチとを有し、前記像担持体が稼働位置と待機位置とで前記揺動レバーの回転位置を変位する切換手段を備え、該切換手段の動作により前記揺動レバーが揺動し、該揺動によって一方向クラッチが前記研磨手段を間欠的に１方向に回転することを特徴とする請求項１記載の画像形成装置。
【請求項３】
前記像担持体が複数のローラに巻回された像担持体ベルトで、前記切換手段の作動により前記複数のローラの少なくとも１のローラが稼働位置と待機位置との間を移動し、該移動によって前記像担持体ベルトの軌跡が変化し、該軌跡の変化によって前記揺動レバーを揺動することを特徴とする請求項２記載の画像形成装置。
【請求項４】
前記像担持体ベルトが中間転写ベルトであることを特徴とする請求項３記載の画像形成装置。
【請求項５】
前記像担持体ベルトが感光体ベルトであることを特徴とする請求項３記載の画像形成装置。
【請求項６】
前記像担持体ベルトが転写媒体の搬送ベルトであることを特徴とする請求項３記載の画像形成装置。
【発明の詳細な説明】
【技術分野】
【０００１】
本発明は感光体や中間転写体などの像担持体上に形成されるフィルミング物を除去するためのクリーニング装置を備えた画像形成装置に関する。
【背景技術】
【０００２】
カラー画像形成装置では、一般に次のようにして画像を形成する。まず、Ｙ，Ｍ，Ｃ，Ｋの各色ごとに設けられ、一様に帯電された感光体表面に、原稿画像を照射して結像させ、静電潜像を形成する。感光体が回転してこの静電潜像がＹ，Ｍ，Ｃ，Ｋの各色ごとの現像装置に達すると、トナーで現像して顕像化する。このＹ，Ｍ，Ｃ，Ｋの各色ごとのトナー像を中間転写体上に重ねて転写した後に、中間転写体から転写媒体としての転写紙に一括して転写し、転写紙上のカラートナー画像を定着装置で加熱溶融させて固定することでカラー画像を形成している。
【０００３】
中間転写体は、エンドレスのベルト状で、ベルト駆動ローラを含む複数のローラとテンションローラの間に巻回されている。この中間転写体上には、カラーのトナー画像が繰り返し形成されるが、転写後の中間転写体上に残留した微量のトナーをクリーニング装置で除去するようになっている。このクリーニング装置は、クリーニングブレードとクリーニングローラとを備えている。
【０００４】
しかし、微小なトナーや、熱や圧力等で溶解したトナーワックス等が感光体や中間転写体で発生した場合、ブレードクリーニング方式におけるブレードやローラでは除去しきれず、徐々にフィルミング物を形成する。このフィルミング物はトナーの付着が悪く、画像に白く抜ける部分ができる。
【０００５】
特に中間転写体を用いたダブル転写方式の場合、僅かなフィルミング物の生成によっても大きく転写効率が低下する。また、像担持体にフィルミング物が形成されると、ブレードと像担持体の摩擦係数が増加するため、カウンターブレード方式を用いる場合にブレードの巻き込みが発生しやすくなる。また、像担持体が駆動ローラと従動ローラにより張架されたベルト部材である場合、ブレードと像担持体の摩擦力の増大により駆動ローラが空転してしまう。
【０００６】
このような問題を解決するものとして、特許文献１（特開平５−２７３８９３号）では像担持体の表面を研磨する摺擦部材（フィルミング除去ブラシ）を設けた画像形成装置を提案している。これは、ソレノイドによって像担持体に接離可能に摺擦部材を設け、発光素子と受光素子を使用して像担持体上のフィルミング物の形成を検知してフィルミング物が形成されたら、摺擦部材をモータで回転させ、ソレノイドによって像担持体に押し付けてフィルムを除去する構成である。
【０００７】
【特許文献１】特開平５−２７３８９３号  図１、請求項１、段落００１３
【発明の開示】
【発明が解決しようとする課題】
【０００８】
しかしながら、特許文献１に記載の研磨装置は、高価なモータや発光素子及び受光素子を使用するので、コストアップになるという問題がある。
【０００９】
本発明は、このような実情に鑑み、安価な構成で、像担持体上に形成されるフィルミング物を除去できる研磨装置を備えた画像形成装置を提供することを目的としてる。
【課題を解決するための手段】
【００１０】
前記の目的を達成するために本願の請求項１にかかる画像形成装置は、トナー像を担持する像担持体と、該トナー像を転写媒体上に転写した後の前記像担持体上に残留するトナーを回収するクリーニング装置と、像担持体の表面のフィルミング物を除去する研磨装置とを有する画像形成装置において、前記研磨装置が、研磨手段と、該研磨手段の間欠駆動手段と、該間欠駆動手段の制御装置とを備え、該制御装置が、１ジョブ中の処理枚数を数える枚数カウンタと、該枚数カウンタがカウントする処理枚数と予め設定された所定枚数とを比較する比較手段とを有し、１ジョブ中の処理枚数が前記所定枚数に達したとき、前記間欠駆動手段を駆動することを特徴としている。
【００１１】
本願の請求項２にかかる画像形成装置は、前記間欠駆動手段が、揺動レバーと該揺動レバーの揺動軸に設けられた一方向クラッチとを有し、前記像担持体が稼働位置と待機位置とで前記揺動レバーの回転位置を変位する切換手段を備え、該切換手段の動作により前記揺動レバーが揺動し、該揺動によって一方向クラッチが前記研磨手段を間欠的に１方向に回転することを特徴としている。
【００１２】
本願の請求項３にかかる画像形成装置は、前記像担持体が複数のローラに巻回された像担持体ベルトで、前記切換手段の作動により前記複数のローラの少なくとも１のローラが稼働位置と待機位置との間を移動し、該移動によって前記像担持体ベルトの軌跡が変化し、該軌跡の変化によって前記揺動レバーを揺動することを特徴としている。
【００１３】
本願の請求項４にかかる画像形成装置は、前記像担持体ベルトが中間転写ベルトであることを特徴としている。
【００１４】
本願の請求項５にかかる画像形成装置は、前記像担持体ベルトが感光体ベルトであることを特徴としている。
【００１５】
本願の請求項６にかかる画像形成装置は、前記像担持体ベルトが転写媒体の搬送ベルトであることを特徴としている。
【００１６】
上記手段によれば、以下のような作用が得られる。
転写紙などの転写媒体へ転写後に像担持体上に残留するトナーは、クリーニング装置のクリーニングローラとクリーニングブレードとによって取り除かれるが、これらで取り除けない微量なトナーやワックスが像担持体上に残る。これらが像担持体上で固化してフィルミング物が形成されてくる。このフィルミング物を研磨装置の研磨手段が像担持体に接触して研磨することで除去する。
【００１７】
しかし、研磨手段の同じ部位が像担持体に長時間接触していると、徐々に研磨能力が低下する。そこで、研磨装置を像担持体によって間欠的に駆動し、研磨手段を回転して研磨手段の接触部をずらすことで、研磨力の低下を防止する。
【００１８】
間欠的に駆動する場合、駆動する間隔が問題となる。間隔が長すぎると、研磨能力が低下してフィルミング物が形成されてしまうからである。この点に関し、本発明では、画像形成装置が処理する転写媒体の数をカウントし、この数が予め決められた数に達したら、間欠駆動を行うようにしている。
【００１９】
間欠駆動手段を、揺動レバーと一方向クラッチとで構成し、切換手段で、像担持体を稼働位置と待機位置で移動するようにする。揺動レバーは像担持体の稼働位置と待機位置との間の動きに合わせて揺動し、一方向クラッチで一方の揺動のときだけ研磨手段を少しずつ回転させる。これによって、研磨手段は像担持体との接触部位を変え、研磨能力を維持する。
【発明の効果】
【００２０】
本発明によれば、間欠駆動手段が、像担持体により駆動されるので、モータが不要となる。また、研磨手段を間欠的に回転するので、発光素子や受光素子も不要となり、機構を単純にすることができ、安価な研磨装置を得ることができる、という優れた効果を奏する。
【００２１】
また、１ジョブ中の処理枚数を数える枚数カウンタと、該枚数カウンタがカウントする処理枚数と予め設定された所定枚数とを比較する比較手段とを設けたので、１ジョブ中の処理枚数が前記所定枚数に達したとき、前記間欠駆動手段を駆動することで、枚数の大きいジョブの際も、フィルミング物の形成を防止することができる。
【００２２】
像担持体が像担持体ベルトで、切換手段の作動により少なくとも１のローラが稼働位置と待機位置との間を移動するようにすれば、この移動によって揺動レバーを揺動し、一方向クラッチで研磨手段を間欠的に回転することができる。
【発明を実施するための最良の形態】
【００２３】
以下に本発明の実施例を図面に基づいて説明する。
図１は、本発明の研磨装置を備えたカラー画像形成装置の構成を示す図である。図１に示すように、カラー画像形成装置はタンデム型カラー画像形成装置と称せられるもので、原稿自動搬送手段３０、画像読取装置６０、画像書込装置３Ｙ，３Ｍ，３Ｃ，３Ｋ、感光体１Ｙ，１Ｍ，１Ｃ，１Ｋ、帯電装置２Ｙ，２Ｍ，２Ｃ，２Ｋ、現像装置４Ｙ，４Ｍ，４Ｃ，４Ｋ、定着装置２４、中間転写ベルトからなる像担持体６、給紙カセット２０ａ，２０ｂ，２０ｃ、搬送系２２等を有する。
【００２４】
５Ｙ，５Ｍ，５Ｃ，５Ｋは、現像装置４Ｙ，４Ｍ，４Ｃ，４Ｋにそれぞれ新規トナーを補給するトナー補給手段である。
【００２５】
原稿自動搬送手段３０は両面又は片面の原稿ｄを自動搬送する手段である。画像読取装置６０は、走査光学系により画像情報が読み取られる装置で、原稿載置台上から給送される多数枚の原稿ｄの内容を、３枚の可動ミラー６０ｃで反射し、集光レンズ６０ｂにより、ＣＣＤからなる撮像素子６０ａ上に結像して読み取る。
【００２６】
イエロー色の画像を形成する画像形成部１０Ｙは、像担持体としての感光体１Ｙの周囲に配置された帯電装置２Ｙ、画像書込装置３Ｙ、現像装置４Ｙ及びクリーニング装置８Ｙを有する。マゼンタ色の画像を形成する画像形成部１０Ｍは、像担持体としての感光体１Ｍ、帯電装置２Ｍ、画像書込装置３Ｍ、現像装置４Ｍ及びクリーニング装置８Ｍを有する。シアン色の画像を形成する画像形成部１０Ｃは、像担持体としての感光体１Ｃ、帯電装置２Ｃ、画像書込装置３Ｃ、現像装置４Ｃ及びクリーニング装置８Ｃを有する。黒色画像を形成する画像形成部１０Ｋは、像担持体としての感光体１Ｋ、帯電装置２Ｋ、画像書込装置３Ｋ、現像装置４Ｋ及びクリーニング装置８Ｋを有する。帯電装置２Ｙと画像書込装置３Ｙ、帯電装置２Ｍと画像書込装置３Ｍ、帯電装置２Ｃと画像書込装置３Ｃ及び帯電装置２Ｋと画像書込装置３Ｋとは、潜像形成手段を構成する。
【００２７】
中間転写ベルトである像担持体６は、無端状のベルトであり、複数のローラにより張架され、回動可能に支持されている。この像担持体６には、クリーニング装置９が設けられている。クリーニング装置９は、クリーニングローラとクリーニングブレードとを備えている。
【００２８】
撮像素子６０ａ上に結像した画像情報の信号は、図示しない画像処理部に送られる。画像処理部は、アナログ処理、Ａ／Ｄ変換、シェーディング補正、画像圧縮処理等を行った後、画像書込装置３Ｙ，３Ｍ，３Ｃ，３Ｋに各色ごとの信号を送る。
【００２９】
画像書込装置３Ｙ，３Ｍ，３Ｃ，３Ｋでは、レーザ光源としての半導体レーザを用い、半導体レーザが出射した光ビームはポリゴンミラーなどの光学要素により走査光ビームに形成されて被走査体としての感光体１Ｙ，１Ｍ，１Ｃ，１Ｋに入射し、各色の静電潜像を形成する。
【００３０】
画像形成部１０Ｙ，１０Ｍ，１０Ｃ，１０Ｋより形成された各色の画像は、回動する像担持体６上に１次転写装置としての転写装置７Ｙ，７Ｍ，７Ｃ，７Ｋにより逐次転写されて（１次転写）、合成されたカラー画像が形成される。給紙カセット２０ａ，２０ｂ，２０ｃ内に収容された記録紙Ｐは、給紙手段２１ａ，２１ｂ，２１ｃにより給紙され、搬送系２２を経て、レジストローラ２３でタイミングを合わせて２次転写装置としての転写装置７ａに搬送され、記録紙Ｐ上にカラー画像が転写される（２次転写）。カラー画像が転写された記録紙Ｐは、定着装置２４により定着処理され、排紙ローラ２５に挟持されて機外の排紙トレイ２６上に載置される。
【００３１】
一方、転写装置７ａにより記録紙Ｐにカラー画像を転写した後、記録紙Ｐを分離した像担持体６は、クリーニング装置９によりクリーニングされ、研磨装置１００によってフィルミング物が研磨される。
【００３２】
図２は、図１の像担持体６と研磨装置１００の部分を拡大した図で、稼働時を示す図である。図３は図２と同じ図で、待機時を示す図である。
【００３３】
これらの図に示すように、像担持体６はエンドレスベルトで、駆動ローラ６ａ、テンションローラ６ｂ、ローラ６ｃ及び転写装置７ａと対向するローラ６ｄの回りに巻回されている。図示しないモーターなどからの駆動力が駆動ローラ６ａに伝達されて、像担持体６は図の時計方向に回転する。テンションローラ６ｂは図示しない弾性体によって図の上方に付勢されている。
【００３４】
像担持体６は、感光体１Ｙ，１Ｍ，１Ｃ，１Ｋと接離する転写装置７Ｙ，７Ｍ，７Ｃ，７Ｋを有するが、このうち転写装置７Ｙ，７Ｍ，７Ｃは、連結板７によって一体に連結している。連結板７の下端には、カム７ｂがあり、このカム７ｂは軸７ｄにより回動可能となっている。即ち、カム７ｂと軸７ｄと、この軸７ｄを回転する図示しないソレノイドやモータによって切換手段が構成される。そして、カム７ｂが図２に示す位置に回転すると、連結板７は最も上に上がり、転写装置７Ｙ，７Ｍ，７Ｃが一斉に上昇して感光体１Ｙ，１Ｍ，１Ｃと接触し、像担持体６は稼動状態になる。カム７ｂが時計方向に９０゜回転して図３に示す位置になると、連結板７は最も下に下がり、転写装置７Ｙ，７Ｍ，７Ｃは下降して感光体１Ｙ，１Ｍ，１Ｃから離れ、像担持体６は待機状態になる。待機状態のときは、像担持体６は緩むので、テンションローラ６ｂは、駆動ローラ６ａとほぼ同じ高さまで上昇して像担持体６が弛まないようにテンションを加える。
【００３５】
クリーニング装置９は、従来のクリーニング装置と同じで、クリーニングローラ９ａとクリーニングブレード９ｂとを有する。
【００３６】
以上は従来の画像形成装置と同じである。本発明は、像担持体６上のフィルミング物を除去する研磨装置１００に特徴がある。以下に研磨装置１００について説明する。
【００３７】
図４は、研磨装置１００の分解斜視図、図５は研磨装置１００の組立図、図６は揺動レバー１１０の斜視図である。
【００３８】
これらの図に示すように、研磨装置１００は、左右の揺動レバー１１０と、一方向クラッチ１２０と、エンドレスベルト状の研磨手段１３０と、揺動レバー１１０の両端に設けられたローラ１４０，１５０と、２本のローラからなる錘１６０と、取付アーム１７０と、Ｅリング１７５とから構成される。
【００３９】
研磨手段１３０の表面には、像担持体６の表面に形成されたフィルミング物を削り落とすことができるような研磨材が塗布されている。また、研磨手段１３０の幅は、少なくとも像担持体６の画像形成領域をカバーすることができる幅を有し、実施例では、像担持体６の幅とほぼ同じ幅でとなっている。
【００４０】
揺動レバー１１０は、一端に貫通孔１１１を有し、ここに一方向クラッチ１２０を取り付けている。一方向クラッチ１２０は、その内径１２１にローラ１４０の軸１４１を固着する。軸１４１とローラ１４０とは一体構造となっている。ローラ１４０の中心が揺動軸ａとなる。揺動レバー１１０の先端側には、３つの貫通孔があり、それぞれローラ１５０と２本の錘１６０の先端の軸部が嵌合する。これらのローラ１５０と錘１６０は、揺動レバー１１０に対して回動自在でもよく、固定されていてもよい。取付アーム１７０には貫通孔１７１があり、この貫通孔１７１と揺動レバー１１０の貫通孔１１１とを重ね、適当な方法で回動可能な状態にして結合する。たとえば、一方向クラッチ１２０の軸方向長さを長くして揺動レバー１１０の貫通孔１１１と共に取付アーム１７０の貫通孔１７１と嵌合させてもよい。
【００４１】
一方の揺動レバー１１０と取付アーム１７０とを結合し、これにローラ１４０，１５０及び錘１６０を取り付け図４の状態にする。これに研磨手段１３０を装着し、研磨手段１３０の手前側から突出しているローラ１４０，１５０及び錘１６０の先端細径部を、反対側の揺動レバー１１０と取付アーム１７０に取り付け、一方向クラッチ１２０を嵌装して図５の状態に組み立てたら、Ｅリング１７５を取り付け、抜け止めとする。ローラ１４０が研磨手段１３０の駆動ローラで、ローラ１５０が従動ローラとなる。
【００４２】
取付アーム１７０は、貫通孔１７１の両側に軸受凹部１７２と凹部１７３とを有する。軸受凹部１７２は、クリーニング装置９に設けられた軸９ｃと嵌合し、研磨装置１００を像担持体６の所定の位置に保持する。凹部１７３には、テンションローラ１８０を挿入する。テンションローラ１８０によって、研磨手段１３０に適度なテンションが加わり、ローラ１４０が回転すると、一緒に研磨手段１３０も回転するようになる。
【００４３】
図７は、本発明の研磨装置１００の動きを説明する模式図である。同図に実線で示したのは、像担持体６が稼働時の状態で、仮想線６’で示したのは待機時の状態である。カム７ｂが図２に示す回転位置にあると、像担持体６にテンションが加わり、テンションローラ６ｂは図の下方に引っ張られ、図７の実線に示す位置に来る。
【００４４】
研磨手段１３０は、揺動レバー１１０が片持ち構造であることと、錘１６０があることから、像担持体６に常時接触しているが、前記のテンションローラ６ｂの降下に伴い像担持体６の軌跡が変化するので、これに応じて研磨手段１３０も下降する。揺動レバー１１０は研磨手段１３０と一体なので、一方向クラッチ１２０を中心にして先端側が下降した状態になる。この状態で、カラー画像の形成が行われるので、駆動ローラ６ａは時計方向に回転し、像担持体６も矢印に示す時計方向に回転する。研磨手段１３０はジョブの行われている間は像担持体６に常時接触してその表面を研磨してフィルミング物を除去している。
【００４５】
ジョブが終了すると、切換手段のカム７ｂが時計方向に９０゜回転して像担持体６は図３に示す待機時の状態になる。このとき、像担持体６の軌跡は、図７の仮想線６’に示すように変化する。すなわち、テンションローラ６ｂが仮想線に示す６ｂ’の位置に上昇する。揺動レバー１１０は、錘１６０があるので、常時像担持体６により下から受けられているが、テンションローラ６ｂが６ｂ’の位置に移動することで、揺動レバー１１０も実線の回転位置から仮想線に示す１１０’の回転位置に一方向クラッチ１２０の中心を軸として回動する。このとき一方向クラッチ１２０は、ローラ１４０に回転を伝達せずに空転する。
【００４６】
そして、次のジョブが開始されると、カム７ｂが反時計方向に９０゜回転して像担持体６は図２に示す稼働時の状態になる。これによって、テンションローラ６ｂは、図７の仮想線６’の位置から実線６の位置に下がり、揺動レバー１１０も時計方向に回転して仮想線１１０’から実線１１０の回転位置になる。このとき、一方向クラッチ１２０は揺動レバー１１０の回転をローラ１４０に伝達する。研磨手段１３０はテンションローラ１８０で適正なテンションを加えられているので、ローラ１４０の回転は、そのまま研磨手段１３０に伝達され、研磨手段１３０は若干だけ回転する。これによって、研磨手段１３０の像担持体６と接触していた部分が移動し、新しい部分が像担持体６と接触することになる。したがって、同じ部位が接触することによる研磨能力の低減を、研磨手段１３０を間欠的に回動することで防止することができる。以後、新しいジョブが開始される毎に研磨手段１３０は少しずづ回転し、ジョブ毎に接触部位をずらして像担持体６に接触する。
【００４７】
なお、この実施例では一方向クラッチは、待機時→稼働時のとき研磨手段１３０に回転を伝達しているが、逆に稼働時→待機時に回転を伝達するようにしてもよい。
【００４８】
以上の説明から分かるように、揺動レバー１１０と一方向クラッチ１２０とで、研磨装置１００の間欠駆動手段を構成し、像担持体６の動きに従動して駆動されることになる。
【００４９】
図８は本発明における画像形成装置の電気的構成例を示すブロック図である。全体制御部２００は画像形成装置の全体を制御するところで、ＣＰＵを有し、図示しない処理プログラムに従って画像形成装置各部を制御する。操作入力部２１０は液晶タッチパネルや押しボタン式のテンキーなどを有し、コピー枚数、拡大・縮小率、転写紙サイズ（Ａ４，Ａ４Ｒ，Ｂ５，Ｂ５Ｒ）などの選択や指定、コピー開始などの各種操作を行なうところであり、操作された結果は全体制御部２００に伝達される。
【００５０】
原稿自動搬送手段３０は、全体制御部２００の指示に従って原稿給送状態を制御する。画像読取装置６０は、原稿自動搬送手段３０から供給された原稿画像や、プラテンガラス上に載置された原稿画像を読み取る。読み取られた原稿画像は、画像処理部２２０で圧縮等の処理がされ、画像記憶部２３０に記憶される。枚数カウンタ２４０は、給紙カセット２０ａ，２０ｂ，２０ｃから供給された記録紙Ｐが、１ジョブの何枚目に該当するのかをカウントするものである。
【００５１】
画像記憶部２３０は、記憶された画像データから、つぎに転写される画像データを選択して画像書込装置２５０に出力し、画像形成部制御装置３００に出力する。
【００５２】
画像形成部制御装置３００は、Ｙ，Ｍ，Ｃ，Ｋの各色に対応した感光体１Ｙ，１Ｍ，１Ｃ，１Ｋ、帯電装置２Ｙ，２Ｍ，２Ｃ，２Ｋ、現像装置４Ｙ，４Ｍ，４Ｃ，４Ｋ、像担持体６、転写装置７Ｙ，７Ｍ，７Ｃ，７Ｋ、切換手段７ｂ，７ｃ等をそれぞれ各色ごとに独立して制御する。
【００５３】
本発明の研磨装置１００は、切換手段７ｂ，７ｃが待機位置から稼働位置に移動することによって、研磨手段１３０を送る構成である。切換手段７ｂ，７ｃが作動するのは、ジョブの最初と最後である。したがって、１ジョブごとに１回研磨手段１３０のベルトが送られることになる。
【００５４】
一方、１ジョブが少ない枚数であれば問題ないが、１ジョブが２００枚とか３００枚と大きな枚数になると、この間でフィルミング物が形成される。そして、研磨手段１３０がその位置を変えない状態が続くと、フィルミング物の除去が不十分になる。
【００５５】
そこで、本発明では、全体制御部２００に枚数カウンタ２４０を設け、１ジョブ中の何枚目を複写しているのかを常時チェックし、予め入力された所定枚数と比較手段２６０で比較している。所定枚数の設定は、操作入力部２１０から入力する。所定枚数を例えば、１００枚とすると、１ジョブの中で枚数カウンタ２４０が１００枚に達すると、一時複写を停止し、切換手段７ｂ，７ｃが稼働位置から待機位置に切り換わり、さらに稼働位置に戻る。これによって研磨手段１３０は１回分送られ、接触部位をずらして像担持体６に接触する。
【００５６】
枚数カウンタ２４０は０払いして、再度転写枚数を１からカウントする。そして１００枚になる度に、切替手段７ｂ，７ｃを駆動し、揺動レバー１１０を揺動して研磨手段１３０を送るようにしている。ジョブが完了すると、枚数カウンタ２４０も０払いされる。
【００５７】
本発明は上記の構成なので、高価なモータや発光素子、受光素子などを使用する必要がない。また、１ジョブで多数枚を処理する場合でも、フィルミング物の除去を確実に行うことができ、装置を改造せずにソフトウェアの変更をすればよく、構成も簡単で安価にできる。
【００５８】
前記の実施例では、研磨手段１３０としてエンドレスベルトを例示したが、ローラ１４０を研磨ローラとして使用することもできる。
【００５９】
また、揺動レバー１１０を揺動させる方法として、前記の実施例では中間転写体ベルトの軌跡を変更することによっている。しかし、この構成に限定されるものではない。たとえば、像担持体６の１個所に突起等を設けておき、これが揺動レバーを通過する度に揺動させるようにしても間欠駆動させることができる。像担持体６として中間転写ベルトを例示したが、感光体ベルトにも同様に適用可能である。ドラム型の感光体であっても、稼働位置と待機位置で研磨装置との距離が変位するように構成したり、突起を設けてこの突起で揺動レバーを揺動させることで、適用可能である。さらに、転写紙などの転写媒体を搬送するベルトにも適用可能である。
【図面の簡単な説明】
【００６０】
【図１】本発明の研磨装置を備えたカラー画像形成装置の構成を示す図である。
【図２】図１の像担持体と研磨装置の部分を拡大した図で、稼働時を示す図である。
【図３】図１の像担持体と研磨装置の部分を拡大した図で、待機時を示す図である。
【図４】研磨装置の分解斜視図である。
【図５】研磨装置の組立図である。
【図６】揺動レバーの斜視図である。
【図７】本発明の研磨装置の動きを説明する模式図である。
【図８】本発明における画像形成装置の電気的構成例を示すブロック図である。
【符号の説明】
【００６１】
ａ        揺動軸
６        像担持体
７ｂ      カム
７ｂ，７ｃ  切換手段
９        クリーニング装置
１００    研磨装置
１１０    揺動レバー
１２０    一方向クラッチ
１３０    研磨手段
１６０    錘
１７０    取付アーム
【図１】
2005326770.tif 000003
【図２】
2005326770.tif 000004
【図３】
2005326770.tif 000005
【図４】
2005326770.tif 000006
【図５】
2005326770.tif 000007
【図６】
2005326770.tif 000008
【図７】
2005326770.tif 000009
【図８】
2005326770.tif 000010